(57)【要約】      （修正有）【課題】建屋スレート葺き構造に使用されるフックボルト先端部を利用して迅速且つ確実に装着される家屋スレート葺き構造の改修金具を提供する。【解決手段】スレート板２をフックボルト３によって家屋構造材に固定した家屋スレート葺き構造の改修に使用する改修金具１であって、平板状の基板１１と、当該基板１１の一側縁に屈曲形成された殴打部１２と、一側縁と反対側の基板１１の他側縁から一側縁方向へ形成された、フックボルト３の軸径よりもやや小さい幅の切欠き溝１３と、を備える。【選択図】図４
0003155066.tif 000002
【実用新案登録請求の範囲】
【請求項１】
スレート板をボルト部材によって建屋構造材に固定した建屋スレート葺き構造の改修に使用する改修金具であって、平板状の基板と、当該基板の一側縁に屈曲形成された殴打部と、前記一側縁と反対側の前記基板の他側縁から一側縁方向へ形成された、前記ボルト部材の軸径よりもやや小さい幅の切欠き溝と、を備える建屋スレート葺き構造の改修金具。
【請求項２】
前記殴打部は、前記基板の一側縁を略コ字形に屈曲させて形成され、その立壁の外側面を殴打面としてある請求項１に記載の建屋スレート葺き構造の改修金具。
【考案の詳細な説明】
【技術分野】
【０００１】
本考案は建屋スレート葺き構造の改修金具に関する。
【背景技術】
【０００２】
工場等では屋根や外壁に比較的安価なスレート葺き構造が使用されてきた。従来のスレートとしては、石綿とセメントを原料とする石綿スレートが一般的である。このようなスレート葺き構造が老朽化した場合、石綿が人体に有害であることから、スレートを破砕することなく、スレート葺き構造の外方を鋼板等で覆って改修することが行なわれている。  
【０００３】
特許文献１には、このような用途に使用する改修金具が開示されている。上記文献１に示された改修金具は、既存のスレート葺き屋根を母屋の構造材に固定するためのフックボルトの先端部が、スレート葺き屋根の外表面に突出していることを利用して、改修金具に設けた係止具のボルト差込孔を上記ボルト先端部に通し、当該ボルト差込孔に形成された係止片をボルト先端部外周のネジ山に係止させることによって改修金具をスレート葺き屋根に装着している。改修金具は間隔をおいて複数設置され、これら改修金具間に垂木材を掛け渡して、垂木材にスレート葺き屋根を覆うように新たな屋根材を掛け渡し固定する。
【先行技術文献】
【特許文献】
【０００４】
【特許文献１】特開２００８−１２７７６０
【考案の概要】
【考案が解決しようとする課題】
【０００５】
ところで、上記従来の改修金具は既述のように、スレート葺き屋根の外表面に突出しているフックボルトの先端部にボルト差込孔を通して装着されるものであるが、この先端部は長年の使用によって錆びたり欠けたりし、あるいは脆くもなっているため、装着に手間を要したり、確実な装着が困難であるという問題があった。
【０００６】
そこで、本考案はこのような課題を解決するもので、建屋スレート葺き構造に使用されるフックボルトの、先端部を除く軸部を利用して迅速且つ確実に装着される建屋スレート葺き構造の改修金具を提供することを目的とする。
【課題を解決するための手段】
【０００７】
上記目的を達成するために、本第１考案では、スレート板（２）をボルト部材（３）によって建屋構造材（５）に固定した建屋スレート葺き構造の改修に使用する改修金具（１）であって、平板状の基板（１１）と、当該基板（１１）の一側縁に屈曲形成された殴打部（１２）と、前記一側縁と反対側の前記基板（１１）の他側縁から一側縁方向へ形成された、前記ボルト部材（３）の軸径よりもやや小さい幅の切欠き溝（１３）と、を備える。
【０００８】
本第１考案においては、ボルト部材の先端部を除く軸部に対し、横方向から改修金具の切欠き溝の開放端を一致させ、この状態で改修金具の殴打部を叩いて、切欠き溝内にボルト部材の軸部を相対的に圧入させる。これにより改修金具は確実且つ迅速にボルト部材の軸部に装着される。この場合、改修金具を装着する個所は、軸部に装着されているナットよりもボルト頭部側の個所とするのが良い。この個所は長年の使用によっても殆ど錆を生じないからである。また、本願考案によれば、平板状基板の一側縁に殴打部を屈曲形成するとともに基板面にその他側縁から切欠き溝を形成するだけで簡易に改修金具を製作することができる。このような改修金具は軽量であり、複数個重ねたコンパクトな状態で作業者が携行することができるから作業性が良い。
【０００９】
本第２考案では、前記殴打部（１２）は、前記基板（１１）の一側縁を略コ字形に屈曲させて形成され、その立壁（１２１）の外側面を殴打面（１２１ａ）としてある。
【００１０】
本第２考案によれば、略コ字形に屈曲形成された殴打部によって基板、すなわち改修金具全体の剛性が向上する。
【００１１】
上記カッコ内の符号は、後述する実施形態に記載の具体的手段との対応関係を示すものである。
【考案の効果】
【００１２】
以上のように、本考案の建屋スレート葺き構造の改修金具によれば、建屋スレート葺き構造に使用されるフックボルトの先端部を除く軸部に迅速且つ確実に改修金具を装着することができ、これによって、既設のスレート葺き構造を覆う新たな屋根材や外壁材を設置する改修工事を効率的に遂行することができる。
【図面の簡単な説明】
【００１３】
【図１】本発明の一実施形態を示す改修金具の平面図である。
【図２】図１のII−II線に沿った改修金具の断面図である。
【図３】フックボルトの先端軸部への改修金具の装着を示す斜視図である。
【図４】改修金具をフックボルトに装着した状態の建屋スレート葺き構造の断面図である。
【図５】改修金具が装着固定されたフックボルトの斜視図である。
【図６】改修金具に垂木材を固定した状態の斜視図である。
【考案を実施するための形態】
【００１４】
図１には改修金具の平面図を示し、図２にはその断面図を示す。改修金具１は矩形平板状の基板１１を備えており、基板１１の一側縁にはこれに沿って殴打部１２が屈曲形成されている。基板１１の板厚の一例は、屋根用が１．２ｍｍ、外壁用が０．５ｍｍである。殴打部１２は基板１１の一側縁を、立壁１２１と横壁１２２を有する略コ字断面に屈曲させたもので、立壁１２１の外側面が殴打面１２１ａとなっている。なお、コ字断面の上記殴打部１２は基板１１の剛性を高める効果も発揮している。
【００１５】
上記一側縁と反対側の、基板１１の他側縁には中央に切欠き溝１３が形成されている。切欠き溝１３は、一端が基板１１の他側縁に開放するとともに他端が基板１１の一側縁方向へ一定長で延びている。切欠き溝１３はその幅ｄが、後述するフックボルトの軸径よりもやや小さい一定幅としてあるとともに、開放端部では溝幅を漸次外方へ拡大させてある。
【００１６】
このような改修金具１を使用して屋根や外壁のスレート葺き構造を改修する場合には、スレート板を建屋の構造材に固定しているボルト部材としてのフックボルトに改修金具１を装着して行なう。この装着は図３に示すように、例えば本実施形態では波形の、スレート板２の山部外表面に突出しているフックボルト３の先端部３１を除く軸部に対し、横方向から改修金具１の切欠き溝１３の開放端部を一致させ、この状態で改修金具１の殴打面１２１ａを金槌等で叩いて、切欠き溝１３内にフックボルト３の軸部を相対的に圧入させることにより行なう。
【００１７】
相対圧入されるフックボルト３の軸部３３は、図４に示すように、これに装着されているナット４１よりも下方の、ボルト頭部３２側の、座金４２とパッキン４３の間とするのが良い。ナット４１下方の軸部３３は長年の使用においても錆が生じていないことが多く、十分な圧入強度が得られるとともに、座金４２とパッキン４３の間に生じている間隙によって、比較的軽い殴打力で改修金具１の切欠き溝１３内に軸部３３を容易に相対圧入させることができる。なお、図４において、符号５はフックボルト３が係止されている建屋の構造材である。
【００１８】
このようにして、図５に示すように、適当間隔で複数の改修金具１を、波形スレート板２の山部から突出しているフックボルト３の軸部（図４）に装着した後、これらを連ねるように例えばハット形断面の垂木材６（図６）を配置して、これを各改修金具１の基板面１１にスクリュービス等で固定する。垂木材６は改修金具１を使用してスレート葺き屋根や外壁の構造上に平行に複数設けられ、この後、上記垂木材６にスレート葺き構造を覆うように新たな屋根材や外壁材が掛け渡してスクリュービス等で固定する。なお、本実施形態では垂木材６の背後に、スレート葺き構造の波形スレート板２の山部が近接しているから（図４参照）、スレート板２を覆う新たな屋根材や外壁材に外圧が印加しても、垂木材６は背後のスレート板２の山部に接して支持され、十分な強度を発揮する。
【００１９】
なお、各フックボルト３の軸部３３の位置が多少直線上からずれていても、改修金具１への殴打力を加減して上記切欠き溝１３内への軸部３３の相対進入量を調整することによって改修金具１の装着位置を調整できるから、垂木材６を各改修金具１の基板１１の所定位置に固定することができる（図１）。また、スレート葺きの外壁には屋根に比して相対的に板厚の薄い改修金具１を使用すれば、改修金具１の基板１１が適度に変形することによって垂木材６の直線状態が保たれ、スレート板２を覆う新たな外壁材の見栄えの低下が避けられる。なお、垂木材６を基板１１上に固定するのに代えて、殴打部１２の横壁１２２上に固定するようにしても良い。
【符号の説明】
【００２０】
１…改修金具、１１…基板、１２…殴打部、１２１…立壁、１２１ａ…殴打面、１３…切欠き溝、２…スレート板、３…フックボルト（ボルト部材）、５…建屋構造材。
【図１】
0003155066.tif 000003
【図２】
0003155066.tif 000004
【図３】
0003155066.tif 000005
【図４】
0003155066.tif 000006
【図５】
0003155066.tif 000007
【図６】
0003155066.tif 000008